(57)【特許請求の範囲】
【請求項１】
可動接点（２３）を有するホルダ（２４）がスイッチケース（１４）にスライド可能に支持され、前記ホルダ（２４）の移動にクリック感を付与するためのクリック機構（４５）が前記ホルダ（２４）および前記スイッチケース（１４）間に設けられるスイッチ装置において、
前記ホルダ（２４）のスライド方向（２５）に沿って延びる摺接面（３０）が前記スイッチケース（１４）に形成され、
前記クリック機構（４５）が、前記摺接面（３０）に対向するレバー部（２４ｄ）と、該レバー部（２４ｄ）をその一端部が前記摺接面（３０）に摺接する側に付勢するばね力を発揮するようにして前記レバー部（２４ｄ）の他端部および前記ホルダ（２４）間に設けられる略Ｕ字状のヒンジ部（２４ｆ）と、前記レバー部（２４ｄ）の一端部に設けられる突起および凹部の一方（２４ｅ）と、前記スライド方向（２５）に沿って間隔をあけた複数箇所で前記突起および凹部の一方（２４ｅ）に嵌合するようにして前記摺接面（３０）に設けられる前記突起および前記凹部の他方（４６，４７）とを有し、
前記レバー部（２４ｄ）に関して前記摺接面（３０）と反対側で前記ホルダ（２４）に設けられる嵌合凹部（４８）に摺動可能に嵌合する嵌合突起（４９）が前記レバー部（２４ｄ）の一端部に一体に設けられ、
前記嵌合突起（４９）は、前記レバー部（２４ｄ）の一端部に設けられる突起および凹部の一方（２４ｅ）が前記摺接面（３０）に当接している状態では、その一部が前記嵌合凹部（４８）内に収容されていることを特徴とするスイッチ装置。
【請求項２】
前記嵌合凹部（４８）に一部が収容されるコイルばね（５０）が、前記レバー部（２４ｄ）を前記摺接面（３０）側に付勢するばね力を発揮するようにして前記ホルダ（２４）および前記レバー部（２４ｄ）間に設けられることを特徴とする請求項１に記載のスイッチ装置。
【請求項３】
前記嵌合突起（４９）は、前記レバー部（２４ｄ）の幅方向両端部から前記嵌合凹部（４８）内に向けて相互に平行に伸びる一対の平板からなり、前記コイルばね（５０）は、これら一対の平板（４９）に挟まれた内部に設けられることを特徴とする請求項２に記載のスイッチ装置。
【発明の詳細な説明】
【技術分野】
【０００１】
本発明は、可動接点を有するホルダがスイッチケースにスライド可能に支持され、前記ホルダの移動にクリック感を付与するためのクリック機構が前記ホルダおよび前記スイッチケース間に設けられるスイッチ装置に関する。
【背景技術】
【０００２】
このようなスイッチ装置は、たとえば特許文献１で知られており、このものでは弾性クリック部の両端が、レバー（本願のホルダに相当）に一体に連なって形成され、レバー受け（本願のスイッチケースに相当）に前記弾性クリック部を弾発的に摺接させるようにしている。
【先行技術文献】
【特許文献】
【０００３】
【特許文献１】特開昭６０−２２０５１９号公報
【発明の開示】
【発明が解決しようとする課題】
【０００４】
ところが、上記特許文献１で開示されるもののように両持ち支持の弾性クリック部を用いたものでは、弾性クリック部のストロークおよびばね特性の設定が難しい。そのためストロークおよびばね特性の設定が容易な片持ち支持のレバー部を弾発的にスイッチケースに摺接する構造とすることが考えられるが、そのような片持ち支持構造では、レバー部の破損が生じると、ホルダの位置ずれが生じたり、破損部の脱落が生じたりする可能性がある。
【０００５】
本発明は、かかる事情に鑑みてなされたものであり、片持ち支持されたレバー部をスイッチケースに弾発的に摺接させてクリック感を得るようにした上で、レバー部の破損が生じてもホルダの位置ずれや破損部の脱落が生じないようにしたスイッチ装置を提供することを目的とする。
【課題を解決するための手段】
【０００６】
上記目的を達成するために、本発明は、可動接点を有するホルダがスイッチケースにスライド可能に支持され、前記ホルダの移動にクリック感を付与するためのクリック機構が前記ホルダおよび前記スイッチケース間に設けられるスイッチ装置において、前記ホルダのスライド方向に沿って延びる摺接面が前記スイッチケースに形成され、前記クリック機構が、前記摺接面に対向するレバー部と、該レバー部をその一端部が前記摺接面に摺接する側に付勢するばね力を発揮するようにして前記レバー部の他端部および前記ホルダ間に設けられる略Ｕ字状のヒンジ部と、前記レバー部の一端部に設けられる突起および凹部の一方と、前記スライド方向に沿って間隔をあけた複数箇所で前記突起および凹部の一方に嵌合するようにして前記摺接面に設けられる前記突起および前記凹部の他方とを有し、前記レバー部に関して前記摺接面と反対側で前記ホルダに設けられる嵌合凹部に摺動可能に嵌合する嵌合突起が前記レバー部の一端部に一体に設けられ、前記嵌合突起は、前記レバー部の一端部に設けられる突起および凹部の一方が前記摺接面に当接している状態では、その一部が前記嵌合凹部内に収容されていることを第１の特徴とする。
【０００７】
また本発明は、第１の特徴の構成に加えて、前記嵌合凹部に一部が収容されるコイルばねが、前記レバー部を前記摺接面側に付勢するばね力を発揮するようにして前記ホルダおよび前記レバー部間に設けられることを第２の特徴とする。
【０００８】
また本発明は、第２の特徴の構成に加えて、前記嵌合突起は、前記レバー部の幅方向両端部から前記嵌合凹部内に向けて相互に平行に伸びる一対の平板からなり、前記コイルばねは、これら一対の平板に挟まれた内部に設けられることを第３の特徴とする。
【発明の効果】
【０００９】
本発明の第１の特徴によれば、合成樹脂製のホルダに、略Ｕ字状のヒンジ部を介してレバー部が一体に連なって形成され、ヒンジ部が発揮する弾発力でレバー部の一端部がスイッチケースの摺接面に弾発的に摺接するようにした片持ち構造とすることで、レバー部のストロークおよびばね特性の設定を容易とした上で、レバー部の一端部に一体に設けられる嵌合突起がホルダに設けられる嵌合凹部に摺動可能に嵌合し、該嵌合突起が、前記レバー部の一端部に設けられる突起および凹部の一方が前記摺接面に当接している状態では、その一部が前記嵌合凹部内に収容されている構造とされるので、レバー部の破損が仮に生じたとしても、破損部は嵌合突起の嵌合凹部への嵌合によってスイッチケース側に保持されたままとなり、ホルダが不所望に位置ずれを生じたり、レバー部の破損部が脱落してしまうことがない。
【００１０】
また本発明の第２の特徴によれば、ホルダおよびレバー部間に設けられるコイルばねでレバー部がスイッチケースの摺接面側に付勢されるので、ヒンジ部のばね荷重が、クリープ、経年劣化および温度変化によって変化しても、それをコイルばねで補うことによってクリック感の変化を抑制することができる。
【図面の簡単な説明】
【００１１】
【図１】スイッチ装置の斜視図である。
【図２】図１の２−２線断面図である。
【図３】図２の３−３線断面図である。
【図４】図３の４−４線断面図である。
【図５】図３の５−５線断面図である。
【図６】ホルダの斜視図である。
【図７】図６の７矢視方向から見たホルダの斜視図である。
【発明を実施するための形態】
【００１２】
本発明の実施の形態について添付の図面を参照しながら説明すると、先ず図１において、このスイッチ装置は、四輪車両の右側面および左側面にそれぞれ設けられるスライドドアの自動開閉および手動開閉を切換えるための切換スイッチ１１と、該切換スイッチ１１で自動開閉を選択したときに右側面のスライドドアの開放および閉鎖を指示するための右スライドドア用開閉スイッチ１２と、前記切換スイッチ１１で自動開閉を選択したときに左側面のスライドドアの開放および閉鎖を指示するための左スライドドア用開閉スイッチ１３とを備えており、それらのスイッチ１１〜１３に共通なスイッチケース１４に、前記切換スイッチ１１の操作ノブ１５、前記右スライドドア用開閉スイッチ１２の操作ノブ１６ならびに前記左スライドドア用開閉スイッチ１３の操作ノブ１７が、右側から左側に順に並んで配設される。
【００１３】
図２〜図５を併せて参照して、前記スイッチケース１４は、箱状に形成される合成樹脂製のケース主体１８と、前記操作ノブ１５〜１７が配設される側と反対側で前記ケース主体１８の開放部を閉じるようにして前記ケース主体１８に取付けられる合成樹脂製の蓋部材１９とから成る。
【００１４】
ところで前記切換スイッチ１１、前記右スライドドア用開閉スイッチ１２および前記左スライドドア用開閉スイッチ１３のうち前記切換スイッチ１１が本発明に従って構成される。
【００１５】
前記スイッチケース１４のケース主体１８のうち前記切換スイッチ１１に対応する部分には、前記蓋部材１９とは反対側の端部に端壁２０ａを有する有底筒状の収容筒部２０が形成され、前記切換スイッチ１１は、前記蓋部材１９に支持されて前記スイッチケース１４内に固定配置されるプリント基板２１上の固定接点２２への接触を可能とした可動接点２３を有するホルダ２４が、前記切換スイッチ１１、前記右スライドドア用開閉スイッチ１２および前記左スライドドア用開閉スイッチ１３の配列方向と直交するスライド方向２５にスライドすることを可能として前記収容筒部２０内に収容されて成る。
【００１６】
前記収容筒部２０は、前記スライド方向２５に長い矩形状の横断面形状を有するように形成されており、この収容筒部２０の外周は、前記スライド方向２５に間隔をあけて相互に対向する第１および第２側壁２６，２７と、前記スライド方向２５と直交する方向で相互に対向する第３および第４側壁２８，２９とで構成される。一方、前記ケース主体１８は、前記右スライドドア用開閉スイッチ１２および前記切換スイッチ１１間を隔てる仕切り壁１８ａを一体に有しており、第３および第４側壁２８，２９のうち前記右スライドドア用開閉スイッチ１２側に配置される第３側壁２８は、前記仕切り壁１８ａの一部から成る共用壁部２８ａと、前記仕切り壁１８ａの残部に間隔をあけて対向する摺接面形成壁部２８ｂと、前記共用壁部２８ａおよび前記摺接面形成壁部２８ｂ間を直角に結ぶ段壁部２８ｃとから成る。
【００１７】
前記摺接面形成壁２８ｂの内面には前記スライド方向２５に沿って延びる平坦な摺接面３０が形成される。また前記仕切り壁１８ａの残部、前記摺接面形成壁部２８ｂおよび前記段壁部２８ｃで形成される溝３１内には、前記右スライドドア用開閉スイッチ１２の操作ノブ１６の一部が収容される。
【００１８】
前記スライド方向２５に沿う一端側で前記収容筒部２０の前記端壁２０ａには、前記切換スイッチ１１をオン位置とする方向を示すための「ＯＮ」が表示されており、その表示部分よりも前記スライド方向２５に沿う他端側で前記端壁２０ａには、前記スライド方向２５に長い長円形状の第１凹部３４が形成され、その第１凹部３４の閉塞壁部３４ａの中央部には、第１凹部３４よりも小さな第２凹部３５が前記スライド方向２５に長い長円形状で形成され、第２凹部３５の閉塞壁部３５ａの中央部には、横断面形状を前記スライド方向２５に長い長円形状としたガイド筒３６が立設される。
【００１９】
図６および図７を併せて参照して、前記ホルダ２４は、前記プリント基板２１に対向して矩形の平板状に形成されつつ前記第３側壁２８の共用壁部２８ａおよび前記第４側壁２９間に配置されるホルダ基部２４ａと、該ホルダ基部２４ａの前記プリント基板２１に臨む一面から前記プリント基板２１側に突出するスイッチ収容筒部２４ｂと、前記ホルダ基部２４ａの前記端壁２０ａに臨む他面から前記スイッチ収容筒部２４ｂとは反対側に突出して前記第３側壁２８の摺接面形成壁部２８ｂおよび前記第４側壁２９間に配置される支持突部２４ｃとを一体に有するように形成される。
【００２０】
前記ホルダ基部２４ａの前記プリント基板２１に臨む面には、前記スイッチ収容筒部２４ｂ内に収容されるようにして前記可動接点２３が取付けられる。この可動接点２３は、前記スイッチ収容筒部２４ｂ内に押し込まれることで前記ホルダ基部２４ａに固定される取付け板部２３ａと、前記プリント基板２１に接触する突部２３ｃ，２３ｃを先端部に有して前記取付け板部２３ａから二股に分かれて前記プリント基板２１側に延びる一対のばね板部２３ｂ，２３ｂとを一体に有して導電金属から成るものであり、前記ばね板部２３ｂ，２３ｂは、それらのばね板部２３ｂ，２３ｂの先端部の前記突部２３ｃ，２３ｃを前記プリント基板２１に弾発的に接触させるばね力を発揮し、そのばね力で前記ホルダ２４は前記プリント基板２１から離反する側にばね付勢される。
【００２１】
前記ホルダ基部２４ａのうち第３側壁２８の前記段壁部２８ｃに対向する部分で前記スライド方向２５に沿う一端側には、前記可動接点２３が発揮するばね力で前記段壁部２８ｃの内面に接触する第１摺接突部３７が突設され、前記ホルダ基部２４ａのうち第３側壁２８の前記段壁部２８ｃの内面に対向する部分で前記スライド方向２５に沿う他端側には、前記可動接点２３が発揮するばね力で前記段壁部２８ｃの内面に接触する摺接突条３８が前記ホルダ基部２４ａの幅方向に長く形成される。このように前記スライド方向２５に沿って相互に離隔した２箇所に配置される第１摺接突部３７および摺接突条３８を前記段壁部２８ｃの内面に弾発的に摺接させることで、ホルダ２４がスライドする際の摩擦抵抗を小さくすることができる。
【００２２】
また前記スイッチ収容筒部２４ｂの前記プリント基板２１に対向する面には、スイッチ収容筒部２４ｂの全体が前記プリント基板２１に接触して摩擦抵抗が増大することを避けるための相互に離隔した４箇所に分かれた第２接触突部３９，３９，３９，３９が前記プリント基板２１に接触し得るようにして一体に突設される。
【００２３】
また前記ホルダ２４における前記支持突部２４ｃの先端は、前記端壁２０ａに設けられる第２凹部３５の閉塞壁部３５ａの内面に近接するように配置されており、この支持突部２４ｃの先端の第４側壁２９寄りの部分には、支持突部２４ｃの全体が第２凹部３５の前記閉塞壁部３５ａに接触して摩擦抵抗が増大することを避けるために前記スライド方向２５に間隔をあけた２箇所に分かれた第３接触突部４０，４０が第２凹部３５の前記閉塞壁部３５ａの内面に接触し得るようにして一体に突設される。
【００２４】
前記ホルダ２４の支持突部２４ｃには前記操作ノブ１５が取付けられるものであり、この操作ノブ１５は、前記支持突部２４ｃに一端部が固定されて前記ガイド筒３６を貫通する軸部１５ａと、前記端壁２０ａの第１凹部３４内に配置されて第１凹部３４の大部分を覆う長円形状のカバー部１５ｂと、該カバー部１５ｂの外面中央部から外方に突出する摘まみ部１５ｃとを一体に有するように形成される。
【００２５】
前記軸部１５ａの一端部には、前記ホルダ２４の支持突部２４ｃに前記端壁２０ａ側から当接係合する段部１５ｄが形成されるとともに、前記支持突部２４ｃに設けられた取付け孔４１内に挿入される一対の二股状の係合爪１５ｅ，１５ｅが一体に形成されており、それらの係合爪１５ｅ，１５ｅを前記端壁２０ａと反対側から前記支持突部２４ｃに弾係合することで前記操作ノブ１５が前記ホルダ２４に取付けられる。
【００２６】
前記操作ノブ１５によって、前記スライド方向２５に沿う一端側のＯＮ位置（図１で示す位置）と、前記スライド方向２５に沿う他端側のＯＦＦ位置との間で、前記ホルダ２４をスライド操作することが可能であり、前記端壁２０ａにおける第１凹部３４の閉塞壁部３４ａのうち前記ＯＮ位置にある状態で前記操作ノブ１５の前記カバー部１５ｂで覆われない部分には円形のレンズ４２が固定される。このレンズ４２に対応する部分で前記プリント基板２１上には、赤色に発光する発光ダイオード４３が取付けられており、前記操作ノブ１５がＯＮ位置にある状態では、前記操作ノブ１５のカバー部１５ｂから外れて外部に露出した状態にある前記レンズ４２が赤色に光ることになる。このレンズ４２は前記沿操作ノブ１５がＯＦＦ位置に移動したときには前記カバー部１５ｂで覆われる。
【００２７】
前記ホルダ２４の支持突部２４ｃおよび前記スイッチケース１４の摺接面形成壁部２８ｂ間には、前記ホルダ２４の移動にクリック感を付与するためのクリック機構４５が設けられる。
【００２８】
このクリック機構４５は、前記摺接面３０に対向するレバー部２４ｄと、該レバー部２４ｄをその一端部が前記摺接面３０に摺接する側に付勢するばね力を発揮するようにして前記レバー部２４ｄの他端部および前記ホルダ２４間に設けられる略Ｕ字状のヒンジ部２４ｆと、前記レバー部２４ｄの一端部に設けられる突起および凹部の一方と、前記スライド方向２５に沿って間隔をあけた複数箇所で前記突起および凹部の一方に嵌合するようにして前記摺接面３０に設けられる前記突起および前記凹部の他方とを有し、この実施の形態では、前記レバー部２４ｄの一端部に突起２４ｅが設けられ、前記摺接面３０の前記スライド方向２５に沿って間隔をあけた２箇所に前記突起２４ｅを嵌合可能な第１および第２の凹部４６，４７が設けられる。しかも前記レバー部２４ｄおよび前記ヒンジ部２４ｆは、合成樹脂から成る前記ホルダ２４の前記支持突部２４ｃに一体に連なって形成される。
【００２９】
第１の凹部４６は、前記ホルダ２４がＯＮ位置にある状態で前記突起２４ｅを嵌合させる位置で前記摺接面３０に形成され、第２の凹部４７は、前記ホルダ２４がＯＦＦ位置にある状態で前記突起２４ｅを嵌合させる位置で前記摺接面３０に形成されるものであり、第１および第２の凹部４６，４７は、横断面形状をたとえば三角形状としつつ前記スライド方向２５と直交する方向で前記摺接面３０の全幅にわたって形成される。
【００３０】
また前記レバー部２４ｄに関して前記摺接面３０と反対側で前記ホルダ２４の前記支持突部２４ｃには、前記摺接面３０側に開放した嵌合凹部４８が設けられる。前記レバー部２４ｄの一端部には、前記嵌合凹部４８に摺動可能に嵌合する嵌合突起４９が一体に設けられ、この嵌合突起４９は、前記レバー部２４ｄの幅方向両端部から前記嵌合凹部４８内に向けて相互に平行に延びる一対の平板部２４ｇ，２４ｇから成り、図５のように前記レバー部の一端部に設けられる突起２４ｅが前記摺接面３０に当接している状態では、その一部が前記嵌合凹部４８内に収容されている。
【００３１】
さらに前記嵌合凹部４８に一部が収容されるコイルばね５０が、前記レバー部２４ｄを前記摺接面３０側に付勢するばね力を発揮するようにして前記ホルダ２４の支持突部２４ｃおよび前記レバー部間に設けられる。
【００３２】
前記クリック機構４５および前記コイルばね５０による弾発力で前記ホルダ２４は、そのホルダ基部２４ａが前記スイッチケース１４の第４側壁２９側に近接する側に付勢されることになるが、この際、前記ホルダ基部２４ａの第４側壁２９側に臨む全体が第４側壁２９の内面に摺接することによって摩擦抵抗が増大することを避けるために、前記ホルダ基部２４ａの第４側壁２９側に臨む部分の前記スライド方向２５に沿って間隔をあけた２箇所に、第４側壁２９の内面に接触し得る第４接触突部５１，５１が一体に突設される。
【００３３】
次にこの実施の形態の作用について説明すると、可動接点２３を有するホルダ２４の移動にクリック感を付与するようにしてホルダ２４およびスイッチケース１４間に設けられるクリック機構４５が、スイッチケース１４に形成される摺接面３０にスライド方向２５に間隔をあけて設けられる第１および第２の凹部４６，４７と、それらの凹部４６，４７に嵌合することを可能として前記摺接面３０に摺接する突起２４ｅを一端部に有するレバー部２４ｄと、前記突起２４ｅを前記摺接面３０に摺接する側に前記レバー部２４ｄを付勢するばね力を発揮するようにして前記レバー部２４ｄの他端部および前記ホルダ２４間に設けられる略Ｕ字状のヒンジ部２４ｆとを有し、前記レバー部２４ｄおよび前記ヒンジ部２４ｆが合成樹脂から成る前記ホルダ２４の前記支持突部２４ｃに一体に連なって形成されるので、ヒンジ部２４ｆが発揮する弾発力でレバー部２４ｄの一端部の突起２４ｅがスイッチケース１４の摺接面３０に弾発的に摺接するようにした片持ち構造であり、レバー部２４ｄのストロークおよびばね特性の設定が容易となる。
【００３４】
しかも前記レバー部２４ｄに関して前記摺接面３０と反対側で前記ホルダ２４に設けられる嵌合凹部４８に摺動可能に嵌合する嵌合突起４９が前記レバー部２４ｄの一端部に一体に設けられ、レバー部２４ｄの一端部に設けられる突起２４ｅが前記摺接面３０に当接している状態では、該嵌合突起４９の一部が嵌合凹部４８内に収容されるので、レバー部２４ｄの破損が仮に生じたとしても、破損部は嵌合突起４９の嵌合凹部４８への嵌合によってスイッチケース１４側に保持されたままとなり、ホルダ２４が不所望に位置ずれを生じたり、レバー部２４ｄの破損部が脱落してしまうことがない。
【００３５】
さらに前記嵌合凹部４８に一部が収容されるコイルばね５０が、前記レバー部２４ｄを前記摺接面３０側に付勢するばね力を発揮するようにして前記ホルダ２４および前記レバー部２４ｄ間に設けられるので、ヒンジ部２４ｆのばね荷重が、クリープ、経年劣化および温度変化によって変化しても、それをコイルばね５０で補うことによってクリック感の変化を抑制することができる。
【００３６】
以上、本発明の実施の形態について説明したが、本発明は上記実施の形態に限定されるものではなく、特許請求の範囲に記載された本発明を逸脱することなく種々の設計変更を行うことが可能である。
【００３７】
たとえば上述の実施の形態では、レバー部２４ｄの一端部に突起２４ｅが設けられ、摺接面３０に第１および第２の凹部４６，４７が設けられるようにしたが、前記レバー部２４ｄの一端部に凹部が設けられ、前記摺接面に複数の突起が設けられるようにしてもよい。
【符号の説明】
【００３８】
１４・・・スイッチケース
２３・・・可動接点
２４・・・ホルダ
２４ｄ・・・レバー部
２４ｅ・・・突起
２４ｆ・・・ヒンジ部
２５・・・スライド方向
３０・・・摺接面
４５・・・クリック機構
４６，４７・・・凹部
４８・・・嵌合凹部
４９・・・嵌合突起
５０・・・コイルばね
【図１】
0006052620.tif 000002
【図２】
0006052620.tif 000003
【図３】
0006052620.tif 000004
【図４】
0006052620.tif 000005
【図５】
0006052620.tif 000006
【図６】
0006052620.tif 000007
【図７】
0006052620.tif 000008